(57)【要約】【課題】遊技者の遊技媒体貸出機の各種操作に対して、表示部が干渉しないようにできる端末装置を提供することを提供とする。【解決手段】遊技機間に設けられる表示部を有する端末装置であって、前記表示部を上下動可能に設ける。【選択図】        図１
2004216059.tif 000002
【特許請求の範囲】
【請求項１】
遊技機間に設けられる表示部を有する端末装置であって、
前記表示部を上下動できる機構を備えている、
ことを特徴とする遊技機における端末装置。
【請求項２】
遊技媒体貸出機に併設され、表示部を有する端末装置であって、
前記遊技媒体貸出機に併設された状態で、前記表示部を回動させると前記表示部が前記遊技媒体貸出機の前面に張り出すように前記表示部を水平方向に回動できる機構と、
前記回動できる機構により、遊技媒体貸出機の前面に張り出す前記表示部を上下動できる機構と、を備えている、
ことを特徴とする遊技機における端末装置。
【請求項３】
請求項２に記載の遊技機における端末装置であって、
前記表示部は、遊技者が遊技中に上下動して高さ位置を変更できるように構成されている、
ことを特徴とする遊技機における端末装置。
【請求項４】
請求項２に記載の端末装置を遊技媒体貸出機に併設する工程と、
前記表示部を上下動させることにより、前記表示部の高さ方向の位置と、前記遊技媒体貸出機の操作部の高さ方向の位置と、を違えて前記表示部を固定する工程と、を備えている、
ことを特徴とする遊技機における端末装置の施工方法。
【発明の詳細な説明】
【０００１】
【発明の属する技術分野】
本発明は、遊技機の周辺に配置される表示部を有する端末装置に関する。
【０００２】
【従来の技術】
近年、遊技場では遊技者に提供するサービスの１つとして、例えば、図６に示すように遊技機１、及び遊技媒体貸出機２に併設して端末装置１０が配置されている。この端末装置１０には、表示部４１が備えてあり、この表示部４１には各遊技機１の遊技履歴情報（例えば、本日の特賞回数、前回特賞からの入賞回数等）を表示する。そして、遊技者は、その遊技履歴情報を参考にして、複数台設置の遊技機１の中から遊技する遊技機１を選定したり、遊技の終了の判別に役立てている。
また、遊技者が、遊技機１の遊技に使用する椅子に着座した状態で前記表示部４１を見易くするために、この表示部４１は、端末装置１０の上部に張り出して設けてある上架台４４の端部に取付けの上架台軸４４ａで回動可能に取付けてある。なお、図６（ａ）は、表示部４１が回動前の状態、図６（ｂ）は、９０度回動後の姿態を示す。
【０００３】
【特許文献１】
特開平１０−２４４０６６号公報
【０００４】
【発明が解決しようとする課題】
従来から、遊技場の限られたスペースに多くの遊技機１を設置するために、隣接する遊技機１間には無駄な間隔が生じないように遊技機１は配置されている。この遊技機１間には、遊技媒体貸出機２が設置されておりその正面（遊技者と向い合う面）側には、例えば、現金投入口２ａ、貸出操作部２ｂ、遊技媒体貸出口２ｃ等の各種操作部を備えており、遊技者は、各種操作を実施している。そして、近年、遊技場では遊技者に提供するサービスの１つとして、端末装置１０を遊技機１、及び遊技媒体貸出機２に併設して配置している。例えば、新装開店等で、端末装置１０だけでなく、遊技媒体貸出機２も同時に購入して配置するのであれば、前記端末装置１０の表示部４１と前記遊技媒体貸出機２への遊技者が実施する各種操作の際に、互いに干渉しないような端末装置１０と遊技媒体貸出機２を予め配置できる。しかしながら、現状多くは、新規に端末装置１０の配置を試みても、端末装置１０を配置する間隔が狭く、配置できないという問題点がある。そこで、間隔の狭い場所にでも配置可能なように端末装置１０の幅を狭くする構成が考えられる。しかし、このような構成にして端末装置１０を配置できたとしても、表示部４１を遊技者が見易いように水平方向に回動させると、表示部４１が遊技媒体貸出機２の各種操作部の前面に張り出してしまい、この回動した表示部４１が、併設の遊技媒体貸出機２に対して遊技者が実施する各種操作に干渉することがあり、遊技者は、その干渉の都度、表示部４１を元に戻さなければならず手間を要した（表示部４１の表示面が、遊技機１の正面とほぼ垂直な位置）という問題点があった。
この遊技媒体貸出機２の各種操作の高さ方向の位置は、製造元や種類によって様々であり、予め表示部４１の高さを遊技者の遊技媒体貸出機２の操作の妨げにならない位置に合せることもできない。
本発明は、このような点に鑑みて創案されたものであり、遊技者の遊技媒体貸出機２の各種操作に対して、表示部４１が干渉しないようにできる端末装置１０を提供することを課題とする。
【０００５】
【課題を解決するための手段】
上記課題を解決するための手段として、本発明の第１発明は、請求項１に記載されたとおりの遊技機における端末装置である。
請求項１に記載の遊技機における端末装置を用いれば、遊技者は、端末装置の表示部を上下動できる。これにより、例えば、併設する既設置の遊技媒体貸出機の現金投入口、もしくは貸出操作部の操作、もしくは遊技媒体貸出口等において、遊技者の行う各種操作が前記表示部に干渉して実施できない場合でも、遊技者は、前記表示部を上下動できるため、その干渉を回避できる。
ここで、遊技媒体貸出機２としては、プリペイドカード等を受け付けて遊技機の遊技媒体払い出し機構に貸出要求信号を出力するもの（いわゆるＣＲユニット）や、ノズルを介して実際に遊技媒体を供給するものなどがある。
【０００６】
本発明の第２発明は、請求項２に記載されたとおりの遊技機における端末装置である。
請求項２に記載の遊技機における端末装置を用いれば、遊技媒体貸出機に併設された状態で、表示部を遊技媒体貸出機の前面に張り出すように回動することができる。そして、前記表示部を張り出した状態のまま、上下動することができる。これにより、例えば、遊技者が、前記表示部を見易いよう（正視可能な状態）に回動可能である。また、その表示部の回動により併設する遊技媒体貸出機の前面に張り出してしまうために、併設する既設置の遊技媒体貸出機の現金投入口、もしくは貸出操作部の操作、もしくは遊技媒体貸出口等において、遊技者の行う各種操作が前記表示部に干渉して実施できない場合でも、遊技者は、前記表示部を上下動できるため、その干渉を回避できる。
【０００７】
本発明の第３発明は、請求項３に記載されたとおりの遊技機における端末装置である。
請求項３に記載の遊技機における端末装置は、付設する表示部が、遊技中の遊技者により上下動可能な構成である。これにより、例えば、遊技者は、遊技中に自身の見易い高さ位置に表示部を固定できる。
【０００８】
本発明の第４発明は、請求項４に記載されたとおりの遊技機における端末装置の施工方法である。
請求項４に記載の端末装置の施工方法であれば、表示部を遊技媒体貸出機に併設する工程と、前記表示部を上下動させることにより、前記表示部の高さ方向の位置と、併設する前記遊技媒体貸出機の操作部の高さ方向の位置と、を違えて、前記表示部を固定する工程と、を備えた施工方法となる。これにより、例えば、予め設置されている遊技媒体貸出機に併設して端末装置を配置した際に、前記遊技媒体貸出機における遊技者の行う各種操作が前記表示部に干渉して実施できない場合でも、遊技者は、前記表示部を上下動できるため、その干渉を回避できる端末装置が施工可能である。
【０００９】
【発明の実施の形態】
本実施の形態に係る端末装置１０は、遊技媒体貸出機２と共に、遊技機１に併設するものであり、遊技機１と遊技機１の間に配置する。
【００１０】
◆［第１の実施の形態］
図１は、遊技機１と遊技機１の間に遊技媒体貸出機２と共に併設の端末装置１０の構成部材を示す斜視図である。また、図２は、図１の正面図である。この端末装置１０は、取付枠体２０と、摺動体３０と、表示体４０で構成してある。なお、前記表示部４１に関する配線機器は省略し、組み立て要部のみを説明する。
また、従来例と同じ作用をする部材には同じ符号を附す。
【００１１】
長方形薄板状の取付枠体２０の右端部には、逆Ｕ字状のガイドレール２１が取り付けてあり、このガイドレール２１には上下方向に長孔２１ｂが穿設してあると共に、この長孔２１ｂに連結して、上下方向に適宜の間隔で複数個の長孔凹部２１ａが形成してある。なお、このガイドレール２１は、後述する表示体４０に突設の摺動凸部４２ａを長孔２１ｂで摺動移動させた後、前記長孔凹部２１ａに挿入することによって、後述の表示体４０の高さの位置変更を可能にする。
【００１２】
取付枠体２０の正面左端部には、上下方向に、前記ガイドレールに対して開口部を向けた状態の断面コ字状のガイド溝２２が、上下に分離して取り付けてある。このガイド溝２２に後述の摺動体３０のガイド体３１を挿入して、上下動することによって、前記摺動体３０の昇降を可能にする。
【００１３】
次に、前記取付枠体２０に表示体４０を昇降可能に取り付けるための押さえ体としての板状の摺動体３０について説明する。この摺動体３０の左端部の中央には、前記摺動板４２を装着可能な幅の切欠部３３が形成してある。そして、この切欠部３３の上下にガイド体３１が形成され、前記取付枠体２０のガイド溝２２に挿入して、この摺動体３０を昇降可能にする。
【００１４】
次に、表示部４１を取り付ける表示体４０は、ほぼ正方形の薄板状の摺動板４２と、表示部４１を取り付ける上架台４４と下架台４５、及び表示部４１で構成してある。そして、前記摺動板４２の右端部の裏面側には、前記ガイドレールを避けるために断面略Ｌ字状の切欠部４２ｂが形成してあると共に、右端部の裏面側には前記長孔凹部２１ａに嵌合可能な摺動凸部４２ａを備えている。また、前記摺動板４２の左端部の上下端には、表示部４１を取り付ける細長い略長方形状の上架台４４と下架台４５が取り付けてあると共に、上架台４４には下向きの上架台軸４４ａが、下架台４５には上向きの下架台軸４５ａを備えている。そして、表示部４１は、前記上架台軸４４ａ、と前記下架台軸４５ａ、とに装着する。このように、表示部４１は、端末装置１０から前面に張り出した表示架台（例えば、上架台４４、及び下架台４５）に凸部（例えば、上架台軸４４ａ、下架台軸４５ａ）を介して取付けられ、前記凸部を軸に水平方向に回動可能である。
【００１５】
次に、前記取付枠体２０、と摺動体３０、と表示体４０、で構成された端末装置１０の組み立てについて説明する。まず、前記取付枠体２０に、摺動板４２の裏面に形成の摺動凸部４２ａをガイドレール２１の長孔２１ｂに挿入して重ね合わせ、摺動体３０に形成のガイド体３１をガイド溝２２に挿入して組み立てる。
【００１６】
次に、遊技者が表示部４１を上下方向に移動する方法について図２、図３を参照して説明する。なお、前記ガイドレール２１の長孔凹部２１ａには、種々の形状が考えられるが、図２に記すように長孔凹部２１ａを長孔２１ｂから水平に形成の形状と、図３に記すように長孔凹部２１ａを長孔２１ｂから水平に形成すると共に下端部側に膨らみ２１ｃを備えている形状等があり、それぞれの場合について下記（１）〜（２）で説明する。
【００１７】
（１）長孔凹部２１ａを水平に形成の形状（図２）
長孔凹部２１ａが水平に形成してあるので、遊技者が表示部４１を把持した状態のまま、表示部４１を端末装置１０の右方向（図２において）に押圧すると、摺動凸部４２ａは、長孔凹部２１ａから離脱して長孔２１ｂに移行する。そのため、前記摺動凸部４２ａは、前記ガイドレール２１の長孔２１ｂに沿って上下摺動可能な状態となる。そこで、遊技者は、所望する高さまで移動させた後に、表示部４１を左側（遊技者側）に引き込むと、摺動凸部４２ａは長孔凹部２１ａに嵌合されて、その位置で固定される。なお、長孔凹部２１ａがこのように水平形状の場合には、例えば、取付枠体２０の右端の上下には、長方形状の弾性体支持体２６を介して弾性体（コイルバネ等）２５の端部が取付けてある。また、お椀状の転がり枠体２４に回転可能に転がり体２３を嵌合し、この転がり枠体２４に前記弾性体２５の他端部が取付けてある。なお、前記弾性体２５は、前記転がり体２３が摺動体３０の右端部に押圧可能で、且つ、転がり体２３が円滑に回転可能な強度のものを選定する。また、前記弾性体２５の曲折防止のために、前記弾性体支持体２６に前記取付枠体２０に向ってガード体２７を設けてある。前記転がり体２３によって、摺動凸部４２ａは長孔凹部２１ａの方向に押圧されて、脱抜防止を図り表示体４０の動きを規制する。なお、前記押圧機構を弾性体２５と転がり体２３で構成してあるので、摺動体３０が上下動しても、取付枠体２０に対して円滑に動かすことができるし、摺動体３０の位置決めをしたとき、弾性体２５の反力によって、摺動凸部４２ａは長孔凹部２１ａに嵌合状態を維持する。
【００１８】
（２）長孔凹部２１ａの下端部側に膨らみを備えている形状（図３）
長孔凹部２１ａの下端部に膨らみ２１ｃが形成してあるので、遊技者が表示部４１を把持した状態のまま、表示部４１を少し上に持ち上げ（前記長孔凹部２１ａの下端部側の膨らみ２１ｃから脱するまで持ち上げ）図３に示す状態で右方向に押圧すると、摺動凸部４２ａを長孔凹部２１ａから離脱して長孔２１ｂに移行する。そのため、前記摺動凸部４２ａは、前記ガイドレール２１の長孔２１ｂに沿って上下摺動可能な状態となる。そこで、遊技者は、表示部４１を所望する高さまで移動させた後に、表示部４１を左側に引き込むと共に、少し下げて、摺動凸部４２ａを長孔凹部２１ａの下端部側に形成の膨らみ内に嵌合されて、その位置で固定される。
従って、本発明の端末装置は、表示部が容易に上下動可能に調整可能であるので、現金投入口２ａ、貸出操作部２ｂ、遊技媒体貸出口２ｃ等の操作に支障がない。以上のように、表示部４１は、摺動凸部４２ａと長孔凹部２１ａとによって、簡便に高さを選定できる。
【００１９】
なお、表示部４１を特定の高さ（ガイドレール２１の上部）で使用する場合には、表示部４１を付設の摺動板４２の上部と取付枠体２０の上部に弾性体を設けて、常時、摺動板４２を上方向に付勢状態に構成する。この弾性体によって、一時的に表示部４１をガイドレール２１の下部に移動させたい場合（例えば、前記表示部４１が上部に固定している状態で、遊技者が、遊技媒体貸出機２の現金投入口２ａへ現金投入操作を行いたいが表示部４１に干渉して現金投入操作ができない場合）には、遊技者が、表示部４１を下部に移動させ、その後、表示部４１を離すと、弾性体の張力により戻すことができる。従って、この構成によると、例えば、遊技者は、左手で表示部４１を下部へ移動させたままの状態で、右手で現金投入口２ａへ現金投入操作を実施し、その現金投入操作が完了すれば、左手を離すだけで、表示部４１が元の高さに戻る。
なお、表示部４１を下部へ動かし上部に戻る構成を例に説明したが、逆の上部へ動かし下部に戻る構成でも構わない。
【００２０】
◆［第２の実施の形態］
本実施の形態の端末装置１０は、表示体７０の高載位置を円弧状の回動を介して可能にする構成であり、図４、図５を参照して説明する。
長方形薄板状の取付枠体５０の左端部には、三日月状のガイドレール５１、５１が２個取り付けてあり、このガイドレール５１，５１には扇形周縁状の長孔５１ｂが穿設してあると共に、この長孔５１ｂに連結して、適宜の間隔で複数個の長孔凹部５１ａが形成してある。なお、前記ガイドレール５１に形成の長孔凹部５１ａは、少なくとも一方のガイドレール５１に形成されていれば良いし、前記長孔凹部５１ａの形状には、ストレート状の長孔凹部５１ａ（図５（ｂ））の他、下向きの膨らみ５１ｃを有する形状（図５（ｃ））であってもよい。また、前記取付枠体５０の左端部には貫通孔５４が形成してあり、この貫通孔５４は、後述の回転体６０の中心に形成の中心孔６２に対応している。
【００２１】
略半円板状の回転体６０の中心には、前記取付枠体５０の貫通孔５４に支持ピン５３を嵌挿する中心孔６２が形成してあると共に、前記ガイドレール５１に挿入する摺動ピン５２を挿通する摺動孔６１が穿設してある。
【００２２】
表示体７０は、上腕体７２と下腕体７３、表示部７１を支持する略コ字形状の表示架台７４、表示部７１で構成してある。そして、上腕体７２と下腕体７３の左端部には、表示架台７４が支持軸７５を介して固定してあり、この表示架台７４には表示部７１が、前記第１実施例の上架台軸４４ａと下架台軸４５ａと同じ構造に取り付けて回動可能である。
次に、摺動ピン５２、５２をガイドレール５１、５１に形成の長孔５１ｂ、５１ｂと回転体６０、６０に形成の摺動孔６１、６１及び貫通孔７２ｂ、７３ｂに挿通し、摺動ピン止め５２ａ、５２ａで係合する。同様に、支持ピン５３、５３を取付枠体５０に形成の貫通孔５４、５４と回転体６０、６０に形成の中心孔６２、６２及び長孔７２ａ、７３ａに挿通し、支持ピン止め５３ａ、５３ａで係合する。なお、この摺動ピン５２、５２を、長孔５１ｂ、５１ｂに連結の長孔凹部５１ａ、５１ａに嵌合することによって、表示体７０の高さ位置調整できる。
摺動ピン５２が、扇形円周状に長孔５１ｂに沿って摺動可能な構成とするために、上腕体７２、及び下腕体７３に穿設の長孔７２ａ、及び７３ａの長さは、前記長孔５１ｂに対応して決められる。
以上によって、端末装置１０は組み立てられ、図５に示す正面姿態になる。
【００２３】
次に、遊技者が表示部７１を上下方向に移動し、高さ調整する方法について図５（ａ）を参照して説明する。なお、前記ガイドレール５１の長孔凹部５１ａには、種々の形状が考えられるが、図５（ｂ）に記すように長孔凹部５１ａを長孔５１ｂを円周の一部と見立てたその円の中心方向に形成のストレートの形状と、図５（ｃ）に記すように長孔凹部５１ａを長孔５１ｂを円周の一部と見立てたその円の中心方向に形成すると共に下端部側に膨らみ５１ｃを備えている形状等があり、それぞれの場合について下記（１）〜（２）で説明する。
【００２４】
（１）長孔凹部５１ａがストレートの形状（図５（ｂ））
長孔凹部５１ａがストレートに形成してあるので、遊技者が表示部７１を把持した状態のまま表示部７１をガイドレール５１の長孔５１ｂ側に押圧すると、摺動ピン５２は長孔凹部５１ａから離脱して長孔５１ｂに移行する。そのため、摺動ピン５２は自由状態になる。そこで、遊技者は、表示部７１を所望する高さまで持ち上げると、表示体７０は支持ピン５３、５３を支点に回動し、その後、表示部７１を手前に引っ張ると共に下方向に押圧すると、摺動ピン５２は、長孔凹部５１ａの膨らみ５１ｃに嵌合されて、その位置で固定される。
【００２５】
（２）長孔凹部５１ａの下端部側に膨らみ５１ｃを備えている形状（図５（ｃ））
長孔凹部５１ａの下端部に膨らみ５１ｃが形成してあるので、遊技者が表示部７１を把持した状態のまま、表示部７１を少し上に持ち上げ（前記長孔凹部５１ａの下端部側の膨らみから脱するまで持ち上げ）表示部７１をガイドレール５１の長孔５１ｂ側に押圧すると、摺動ピン５２は、長孔凹部５１ａから離脱して長孔５１ｂに移行する。そのため、前記摺動ピン５２は自由状態になる。そこで、遊技者は、表示部７１を所望する高さまで持ち上げると、表示体７０は支持ピン５３を軸に回動し、その後、表示部７１を手前に引っ張ると共に下方向に押圧すると、摺動ピン５２は長孔凹部５１ａの膨らみ５１ｃに嵌合されて、その位置で固定される。
従って、本発明の端末装置は、表示部が容易に上下動可能に調整可能であるので、現金投入口２ａ、貸出操作部２ｂ、遊技媒体貸出口２ｃ等の操作に支障がない。以上のように、表示部７１は、摺動ピン５２と長孔凹部５１ａとによって、簡便に高さを選定できる。
【００２６】
そして、上記（１）〜（２）に記載に基づき、前記表示部７１を上下に摺動させると、そのままでは表示部７１は、上腕体７２、及び下腕体７３と平行になるため、遊技者にとって見難い状態である。しかしながら、これらの上腕体７２、及び下腕体７３は、前記表示架台７４と支持軸７５を介して接続されているために、遊技者は、前記表示部７１を水平方向になるように角度調整可能な構成である。
【００２７】
本実施の形態で説明したように、端末装置１０の表示部４１（７１）の高さ位置を、遊技者が自由に決めることができるのであれば、遊技媒体貸出機２の各種操作の干渉回避だけでなく、各遊技者ごとに所望する高さ位置に前記表示部４１（７１）を固定できるため、遊技者にとって表示部４１（７１）を見易い状態にして固定可能となる。
【００２８】
なお、第２の実施の形態で説明した回転体６０は、端末装置１０において、押さえ部材的な役割であるため、構成上、必ずしも必要ではない。
【００２９】
なお、本実施の形態の端末装置１０には、例えば、ロックピン（図、符号なし）を有する簡易施錠機構（図、符号なし）を備え、遊技者が、表示部４１（７１）の高さ位置を決めてから、前記ロックピンを前記簡易施錠機構に挿し込むことにより施錠され、高さ位置を変更できない構成であっても良い。そして、前記表示部４１（７１）は、そのロックピンを抜かない限り移動することができない。
【００３０】
なお、本実施の形態において、端末装置１０は、遊技者が遊技中に表示部４１（７１）を上下動して高さ位置を変更できる構成を説明したが、端末装置１０を設置時に併設する遊技媒体貸出機２への遊技者の各種操作が干渉しない高さ位置に、例えば設置業者が、表示部４１（７１）の高さ位置に固定することもできる。
【００３１】
なお、本発明の端末装置１０は、表示部４１（７１）を上下動できるため、既設置のどのような遊技媒体貸出機２に対しても併設することができるため、端末装置１０を設置時に併せて遊技媒体貸出機２も変更する必要がなく大変有効である。
【００３２】
なお、本実施の形態における、遊技媒体貸出機２は、現金投入機を例に説明したが、プリペイドカード機でも構わない。その場合には、例えば、貸出操作部２ｂ、遊技媒体貸出口２ｃ等が存在しない構成となるが、表示部４１（７１）が、遊技者のプリペイドカード投入口（図、符号なし）への投入操作が干渉する恐れがあるため同様である。
【００３３】
また、前記表示部４１（７１）には、遊技履歴情報を表示するだけでなく、遊技機１に相当する擬似遊技が可能となる、例えば、パチンコゲームを表示しても良い。この場合、端末装置１０にはハンドル（図、符号なし）が付設してあり、このハンドル操作によって、前記表示部４１（７１）に表示の擬似パチンコゲームが実施される。なお、この擬似パチンコゲームにおいて、入賞すると、前記実機の遊技機１から賞品球の払い出しを行う構成にしても良い。
このように、実機の遊技機１に付設する端末装置１０において、擬似遊技を可能にすることによって、実機では賞品球の獲得ができない遊技者にとって、気分を変えて、擬似遊技で遊んだりすることができる。
以上のように、実機の他に擬似遊技機を備えることによって、遊技場において遊技者へのサービスの向上を図ることができる。
なお、前記した端末装置１０に表示の擬似パチンコゲームは、無料で実施可能な構成としても良いし、実機と同様に有料で構成しても良い。
【００３４】
【発明の効果】
以上説明したように、請求項１〜４のいずれかに記載の遊技場における端末装置を用いれば、遊技者の遊技媒体貸出機２の各種操作に対して、表示部４１（７１）が干渉して実施できない場合でも、前記表示部４１（７１）を上下動できるため、その干渉を回避できる。
【図面の簡単な説明】
【図１】本発明（第１の実施の形態）の端末装置１０の部材構成を示す一実施例の斜視図である。
【図２】図１に記した端末装置１０において、長孔凹部２１ａを水平に形成の形状の正面図である。
【図３】図１に記した端末装置１０において、長孔凹部２１ａの下端部に膨らみ２１ｃを備えている形状の正面図である。
【図４】本発明（第２の実施の形態）の端末装置１０の部材構成を示す一実施例の斜視図である。
【図５】図４に記した端末装置１０の正面図である。
【図６】従来の遊技場における端末装置１０の表示部４１について説明する図である。
【符号の説明】
１      遊技機
１０    端末装置
２０、５０    取付枠体
２１、５１    ガイドレール
２１ａ、５１ａ    長孔凹部
２１ｂ、５１ｂ    長孔
３０    摺動体
６０    回転体
４０、７０    表示体
４１、７１    表示部
５２    摺動ピン
５３    支持ピン
７２    上腕体
７３    下腕体
【図１】
2004216059.tif 000003
【図２】
2004216059.tif 000004
【図３】
2004216059.tif 000005
【図４】
2004216059.tif 000006
【図５】
2004216059.tif 000007
【図６】
2004216059.tif 000008